(57)【要約】【課題】廃棄時の分割作業が容易で、かつ廃棄スペースが少ない包装装置を提供する。【解決手段】略長方形の底面部１ｂの相対する二辺を延長して形成した側面部２、３と、前記側面部２、３を延長して形成された天面部４、５と、前記両天面部４、５の先端を突き合わせて筒状に形成した時に両端に形成される開口部を閉塞する端部側面部８、９とを備え、前記底面部１ｂ、前記側面部２、３、前記端部側面部８、９及び天面部４、５の少なくとも１つの面に連続した破線状の切断部１０Ａを設けたもので、廃棄処理時に、カッターナイフなどの刃物などを使用しなくても、切断部１０Ａの部分で容易に分割できるので、包装装置１の廃棄作業性が向上すると共に、分割される事により保管スペースも削減され効率的な廃棄作業が行えるものである。【選択図】図１ 
2005206203.tif 000002
【特許請求の範囲】
【請求項１】
略長方形の底面部の相対する二辺を延長して形成した側面部と、前記側面部を延長して形成された天面部と、前記両天面部の先端を突き合わせて筒状に形成した時に両端に形成される開口部を閉塞する端部側面部とを備え、前記底面部、前記側面部、前記端部側面部及び天面部の少なくとも１つの面に連続した破線状の切断部を設けた包装装置。
【請求項２】
一方の天面部の先端の略中央付近より、側面部、底面部を横切って他方の天面部の先端にかけて連続した破線状の切断部を設けた請求項１記載の包装装置。
【請求項３】
天面部に設ける切断部の切断の間隔を粗くし、天面部以外の面に設ける切断部の切断の間隔を細かくした請求項１又は２記載の包装装置。
【請求項４】
底面部と側面部、及び側面部と天面部の折線部分に切断部の切断部分を交差させないようにした請求項１〜３のいずれか１項記載の包装装置。
【請求項５】
連続した破線状の切断部を蛇行又は／および傾斜させて設けた請求項項１〜４のいずれか１項記載の包装装置。
【請求項６】
連続した破線状の切断部を底面部の長手方向に設けた請求項１〜５のいずれか１項記載の包装装置。
【請求項７】
端部側面部の、底面部に設けた切断部と重なる位置に連続した破線状の切断部を設けた請求項６記載の包装装置。
【請求項８】
端部側面部に設けた切断部の底面部とつながった端面側に、外側が開口した三角状の切込みを設けた請求項７記載の包装装置。
【発明の詳細な説明】
【技術分野】
【０００１】
本発明は、製品の梱包に使用する包装箱に関するものである。
【背景技術】
【０００２】
従来の包装装置について、図６を用いて説明する。
【０００３】
図に示すように、包装装置は、１枚の底板２０の相対する片２１、２２を延長し、その延長部をさらに内方に折り曲げることにより、筒状の外箱２３を形成し、その外箱２３の両端開口部を側面部２４、２５で閉塞して形成されていた。そして、被包装物を取り出した後の廃棄時には、外箱２３をカッターナイフ等で縦方向に切り開き、側面部２４、２５を内方に折り畳み、さらに片２１、２２を折り畳んで、処理時、運搬時にかさばらないようにしていた（例えば、特許文献１参照）。
【特許文献１】特開２００２−１０４５３３号公報
【発明の開示】
【発明が解決しようとする課題】
【０００４】
しかしながら、上記従来の包装装置の構成によれば、小物商品の包装装置ではさほど問題にならないが、空気調和機の室内機のように大きく、縦長で、しかも重い商品用の包装装置の場合、廃棄時に折りたたんでも、長いため、取り扱いが困難で、また、一時的に保管する場所も、奥行き、あるいは背丈が高い場所が必要となり、保管場所に制約を受けるという課題があった。勿論、カッターナイフなどで分割することは可能だが、重い商品用であるため、包装装置の材料であるダンボールが分厚くなっており、そのため、カッターナイフなどで分割する作業は、困難でありまた、危険でもあった。
【０００５】
本発明は、前記従来の課題を解決し、廃棄時の作業性に優れ、かつ廃棄時の保管スペースも削減できる包装装置を提供することを目的とする。
【課題を解決するための手段】
【０００６】
前記従来の課題を解決するために、本発明の包装装置は、略長方形の底面部の相対する二辺を延長して形成した側面部と、前記側面部を延長して形成された天面部と、前記両天面部の先端を突き合わせて筒状に形成した時に両端に形成される開口部を閉塞する端部側面部とを備え、前記底面部、前記側面部、前記端部側面部及び天面部の少なくとも１つの面に連続した破線状の切断部を設けたもので、廃棄処理時に、カッターナイフなどの刃物などを使用しなくても、切断部の部分で容易に分割できるので、包装装置の廃棄作業性が向上すると共に、分割される事により保管スペースも削減され効率的な廃棄作業が行えるものである。
【発明の効果】
【０００７】
本発明の包装装置は、廃棄時の分割が刃物などを用いることなく容易に行うことができるので、廃棄時の作業性が向上すると共に、分割されることにより小型化され廃棄スペースの削減が可能となる。
【発明を実施するための最良の形態】
【０００８】
第１の発明は、略長方形の底面部の相対する二辺を延長して形成した側面部と、前記側面部を延長して形成された天面部と、前記両天面部の先端を突き合わせて筒状に形成した時に両端に形成される開口部を閉塞する端部側面部とを備え、前記底面部、前記側面部、前記端部側面部及び天面部の少なくとも１つの面に連続した破線状の切断部を設けたもの
で、廃棄処理時に、カッターナイフなどの刃物などを使用しなくても、切断部の部分で容易に分割できるので、包装装置の廃棄作業性が向上すると共に、分割される事により保管スペースも削減され効率的な廃棄作業が行えるものである。
【０００９】
第２の発明は、特に、第１の発明の一方の天面部の先端の略中央付近より、側面部、底面部を横切って他方の天面部の先端にかけて連続した破線状の切断部を設けたもので、廃棄処理時に、カッターナイフなどの刃物などを使用しなくても、切断部の部分で容易に分割できるので、包装装置の廃棄作業性が向上すると共に、長手方向の略半分の位置で分割されるので、保管スペースを有効活用できると共に、大きさが揃い、運搬も容易である。
【００１０】
第３の発明は、特に、第１又は第２の発明の天面部に設ける切断部の切断の間隔を粗くし、天面部以外の面に設ける切断部の切断の間隔を細かくしたもので、輸送時に大きな衝撃が加わりがちな天面側の強度を低下させることが無く、輸送時の品質低下を防ぐことがない。又他の面の切断部の切断幅は細かいので、分割作業が容易になるものである。
【００１１】
第４の発明は、特に、第１〜３のいずれか１つの発明の底面部と側面部、及び側面部と天面部の間の折線部分に切断部の切断部分を交差させないようにしたもので、包装装置を組み立てる時に折線部から変形したりすることが無く、又輸送時や保管時における包装装置の変形や強度低下を防止することができる。
【００１２】
第５の発明は、特に、第１〜４のいずれか１つの発明の連続した破線状の切断部を蛇行又は／および傾斜させて設けたもので、切断部からの折れ曲がり等による変形が容易に発生することを防止し包装装置全体の強度低下を防ぐことができる。さらに、切断部からの破損も防止することができる。
【００１３】
第６の発明は、特に、第１〜５のいずれか１つの発明の連続した破線状の切断部を底面部の長手方向に設けたもので、包装装置の形状や必要とされる強度の維持に関係無く分割の容易な包装装置を形成することができる。また、第２の発明と併用させることにより、廃棄時に、包装装置をより細かく分割する事ができるので、運搬、保管が容易になるものである。
【００１４】
第７の発明は、特に、第６の発明の端部側面部の、底面部に設けた切断部と重なる位置に連続した破線状の切断部を設けたもので、底面部と端部側面部がつながった状態でも容易に分割することができる。
【００１５】
第８の発明は、特に、第７の発明の端部側面部に設けた切断部の底面部とつながった端面側に、外側が開口した三角状の切込みを設けたもので、包装装置を分割するときの分割位置が明確になり廃棄時の作業性が向上する。
【００１６】
以下本発明の実施の形態について図面を参照しながら説明する。なお、この実施の形態によって本発明が限定されるものではない。
【００１７】
（実施の形態１）
図１は、本発明の第１の実施の形態における包装装置の分解斜視図、図２は、同包装装置の展開図である。
【００１８】
図１において、包装装置１は、筒状に形成される外箱部１ａと、外箱部１ａの両端開口部を閉塞する端部側面部８、９で、被梱包物を収納する空間を形成している。外箱部１ａは、長方形の底面部１ｂの相対する両辺を延長して形成した側面部２、３を有し、その各側面部２、３をさらに延長して天面部４、５を形成している。この天面部４、５のそれぞ
れの端面６、７を付き合わせることにより外箱部１ａが筒状に形成されるものである。
【００１９】
なお、本実施の形態では、外箱部１ａの両端開口部を閉塞する端部側面部８、９を、外箱部１ａの底面部１ｂの両端を延長して形成しているが、別部品であっても良い。
【００２０】
この外箱部１ａにおいて、天面部４、５の一方の端面、例えば端面６の中央付近より天面部４、側面部２、底面部１ｂを通り反対側の側面部３、天面部５を通り端面７にかけて連続した破線状の切断部１０Ａが形成されている。
【００２１】
本実施の形態の包装装置１は以上のように構成されているので、開梱後包装装置１を廃棄する際に、外箱部１ａに設けた破線状の切断部１０Ａにより外箱部１ａが刃物などを使用しなくても容易に分割することができるので、包装装置１の廃棄時の作業が容易になると共に、外箱部１ａが細かく分割され廃棄スペースを低減することもできる。
【００２２】
また、図２に示すように、外箱部１ａの天面部４、５の部分における切断部１０Ａの各切断部の間隔Ｔ１を荒くして、他方、天面部４、５以外の面、即ち側面部２、３及び底面部１ｂの切断部１０Ａの各切断部の間隔Ｔ２を細かくなるように設定すると、輸送時の衝撃の加わり易い天面部４、５の強度を低下させることが無いので輸送時の品質低下を防ぐことができるとともに、天面部４、５以外の面では、切断部１０Ａの間隔Ｔ２が細かいので、分割が容易になるものである。
【００２３】
さらに、破線状の切断部１０Ａの切断部分を、底面部１ｂと各側面部３、２との間の折線１２、１３、及び各側面部２、３と天面４、５の間に設けられる折線１４、１１と夫々交差しないように設けるようにすれば、外箱部１ａを組み立てるとき切断部１０Ａの切断部分により各折線部１１、１２、１３、１４で変形したり、輸送、保管時の包装装置１の変形や強度低下を防止することができる。
【００２４】
（実施の形態２）
図３は、本発明の第２の実施形態を示す包装装置の展開図を示すものである。
【００２５】
本実施の形態は、図３に示すように、破線状の切断部１０Ａを蛇行又は傾斜させながら連続して形成するもので、これにより、破線状の切断部１０Ａから外箱部１ａが容易に変形することがなく、しかも包装装置１全体の強度低下を防ぐことが可能である。さらに、破線状の切断部１０Ａの部分からの外箱部１ａの破損を防止することできる。
【００２６】
（実施の形態３）
図４は、本発明の第３の実施の形態における包装装置の展開斜視図である。なお、上記実施の形態と同一部分については、同一符号を付してその説明を省略する。
【００２７】
本実施の形態は、図４に示すように、外箱部１ａの底面部１ｂに一方の端部１５から他方の端部１６にかけて連続した破線状の切断部１０Ｂを形成したもので、これにより、外箱部１ａの形状や必要とされる外箱部１ａの強度維持に関係無く外箱１ａを容易に分割できるようになる。
【００２８】
さらに、同図に示すように、端部側面部８、９に、底面部１ｂとつながった端面側から連続して設けるとともに、底面部１ｂに設けた破線状の切断線１０Ｂと展開状態にて重なり合う位置に破線状の切断線１０Ｃ、１０Ｄを形成すれば、底面部１ｂの両端に端部側面部８、９がつながった状態でも、容易に包装装置１を分割することができるようになるものである。
【００２９】
さらに、切断部１０Ｃ、１０Ｄの、外箱部１ａとつながる部分の端面側に三角上の切り込み１７、１８を形成すれば、包装装置１を分割するときの分割位置が明確になり廃棄時の作業性が向上する。
【００３０】
図５は、切断部１０Ａと、切断部１０Ｂを交差させて設けた包装装置１の展開図を示すもので、このようにすると包装装置１をさらに細かく分割することができると共に、分割時の方向性が無くなり廃棄時の作業性が一段と向上するものである。
【産業上の利用可能性】
【００３１】
以上のように、本発明にかかる包装装置は、廃棄時の分割が刃物などを用いることなく容易に行うことができ、廃棄時の作業性が向上すると共に、廃棄スペースの削減が可能となるので、各種製品用の包装装置や、上下面に封函用フラップを設けた略直方体形状の包装装置にも適用できる。
【図面の簡単な説明】
【００３２】
【図１】本発明の実施の形態１における包装装置の分解斜視図
【図２】同包装装置の展開図
【図３】本発明の実施の形態２における包装装置の展開図
【図４】本発明の実施の形態３における包装装置の展開斜視図
【図５】他の例を示す包装装置の展開斜視図
【図６】従来の包装装置の分解斜視図
【符号の説明】
【００３３】
１    包装装置
１ａ  外箱部
１ｂ  底面部
２、３  側面部
４、５  天面部
８、９  端部側面部
１０Ａ〜Ｄ  切断部
１１〜１４  折線
【図１】
2005206203.tif 000003
【図２】
2005206203.tif 000004
【図３】
2005206203.tif 000005
【図４】
2005206203.tif 000006
【図５】
2005206203.tif 000007
【図６】
2005206203.tif 000008